(57)【要約】【課題】構造形態が簡単で確実に電気的な接続が得られる接点構造を提供する。【解決手段】第１の導電性接点部材１１及び第２の導電性接点部材２１の各接点部同士の接触により両者が電気的に接続される接点構造１において、第１の導電性接点部材１１は、板材で形成され、断面が第１傾斜面１１ｃ１及び第２傾斜面１１ｃ２を互いに対向させて内側に略Ｖ字状を呈して一方向に延在する溝状接点部１１ｃを有し、第２の導電性接点部材２１は、線材で形成され、前記一方向に沿いながら溝状接点部１１ｃに向かってＵ字状又はＶ字状に突出する突出接点部２１ｃを有し、突出接点部２１ｃが溝状接点部１１ｃ内の第１傾斜面１１ｃ１と第２傾斜面１１ｃ２との双方に接触して、１の導電性接点部材１１と第２の導電性接点部材２１とが電気的に接続されることを特徴とする接点構造１を提供する。【選択図】図２
2007258100.tif 000002
【特許請求の範囲】
【請求項１】
第１の導電性接点部材及び第２の導電性接点部材の各接点部同士の接触により両者が電気的に接続される接点構造において、
前記第１の導電性接点部材は、板材で形成され、断面が第１傾斜面及び第２傾斜面を互いに対向させて内側に略Ｖ字状を呈して一方向に延在する溝状接点部を有し、
前記第２の導電性接点部材は、線材で形成され、前記一方向に沿いながら前記溝状接点部に向かってＵ字状又はＶ字状に突出する突出接点部を有し、
前記突出接点部が前記溝状接点部内の前記第１傾斜面と前記第２傾斜面との双方に接触して、前記１の導電性接点部材と前記第２の導電性接点部材とが電気的に接続されることを特徴とする接点構造。
【請求項２】
前記溝状接点部と前記突出接点部との少なくとも一方が、前記接触における押圧力を増加させる方向に付勢されて成ることを特徴とする請求項１記載の接点構造。
【発明の詳細な説明】
【技術分野】
【０００１】
本発明は、電子機器などに適用される接点構造において、第１の導電性接点部材及び第２の導電性接点部材の各接点部同士の接触により両者が電気的に接続される接点構造に関するものである。
【背景技術】
【０００２】
一般的な接点構造では、例えば、充電台を用いて携帯用の電子機器に対して充電動作を行うために、充電台側に設けた第１の導電性接点部材と、電子機器側に設けた第２の導電性接点部材とを互いに接離自在に対向させて、第１，第２の導電性接点部材に形成した各接点部同士を接触させることで、電気的な接続が可能に構成されている。
【０００３】
この種の接点構造には各種の構造形態があるが、第１，第２の導電性接点部材に形成した各接点部同士を電気的に接続させる際に、一方の接点部に対して他方の接点部が２箇所で接触する端子構造（＝接点構造）がある（例えば、特許文献１参照）。
【特許文献１】特開平１１−１４４７８９号公報
【０００４】
図３は従来の端子構造を説明するために一部破断して示した斜視図、
図４は図３に示した雌型端子を拡大して示した斜視図、
図５は従来の端子構造の作用を説明するための断面図である。
【０００５】
図３に示した従来の端子構造１００は、上記した特許文献１（特開平１１−１４４７８９号公報）に開示されており、ここでは特許文献１を参照して説明する。
【０００６】
図３に示した如く、従来の端子構造１００では、平板状の雄タブ端子１０１と、一枚の導電性金属板を折曲加工して組み立てた雌型端子１０２とから構成されている。
【０００７】
上記した端子構造１００のうちで雌形端子１０２は、後端側に、電線１０３を加締圧着する電線接続部１０２ａと、電線１０３の導体１０３ａを加締圧着する導体接続部１０２ｂとが形成されていると共に、先端側に、雄タブ端子１０１の挿入をガイドするために側面と天面とで函状に囲まれた端子挿入函部１０２ｃと、この端子挿入函部１０２ｃと対向して雄タブ端子１０１に対して電気的な接触を図る接触板部１０２ｄとが形成されている。
【０００８】
ここで、図４に拡大して示した如く、雌形端子１０２の接触板部１０２ｄは、山形状に曲げ形成され、且つ、雄タブ端子１０１（図３）に対してバネ圧を付与するようになっており、この接触板部１０２ｄ上に雄タブ端子１０１（図３）に対して接離する円錐状の第１，第２の接点突起部１０２ｄ１，１０２ｄ２が間隔を離して端子挿入函部１０２ｃ（図３）側に向かって突設されている。
【０００９】
そして、図５に示したように、雄タブ端子１０１を雌形端子１０２の端子挿入函部１０２ｃと接触板部１０２ｄとの間に挿入すると、雌形端子１０２のバネ圧によって接触板部１０２ｄ上に突設させた第１，第２の接点突起部１０２ｄ１，１０２ｄ２が雄タブ端子１０１に２箇所接触するので、電気的な接続が良好に得られる旨が開示されている。
【発明の開示】
【発明が解決しようとする課題】
【００１０】
ところで、従来例１の端子構造１００では、雄タブ端子１０１に対して雌形端子１０２が接触板部１０２ｄ上に突設させた第１，第２の接点突起部１０２ｄ１，１０２ｄ２によって２箇所接触するので電気的な接続が良好に得られるものの、雌形端子１０２は先端側に端子挿入函部１０２ｃを形成したり、接触板部１０２ｄ上に第１，第２の接点突起部１０２ｄ１，１０２ｄ２を円錐状に突設させる必要があるために、雌形端子１０２の構造形態が複雑となり問題である。
【００１１】
そこで、第１の導電性接点部材及び第２の導電性接点部材の各接点部同士の接触により両者が電気的に接続される接点構造において、構造形態が簡単で確実に電気的な接続が得られる接点構造が望まれている。
【課題を解決するための手段】
【００１２】
本発明は上記課題に鑑みてなされたものであり、請求項１記載の発明は、第１の導電性接点部材及び第２の導電性接点部材の各接点部同士の接触により両者が電気的に接続される接点構造において、
前記第１の導電性接点部材は、板材で形成され、断面が第１傾斜面及び第２傾斜面を互いに対向させて内側に略Ｖ字状を呈して一方向に延在する溝状接点部を有し、
前記第２の導電性接点部材は、線材で形成され、前記一方向に沿いながら前記溝状接点部に向かってＵ字状又はＶ字状に突出する突出接点部を有し、
前記突出接点部が前記溝状接点部内の前記第１傾斜面と前記第２傾斜面との双方に接触して、前記１の導電性接点部材と前記第２の導電性接点部材とが電気的に接続されることを特徴とする接点構造である。
【００１３】
また、請求項２記載の発明は、前記溝状接点部と前記突出接点部との少なくとも一方が、前記接触における押圧力を増加させる方向に付勢されて成ることを特徴とする請求項１記載の接点構造である。
【発明の効果】
【００１４】
請求項１記載の本発明に係る接点構造によると、第１の導電性接点部材及び第２の導電性接点部材の各接点部同士の接触により両者を電気的に接続する際、第１の導電性接点部材は、板材で形成され、断面が第１傾斜面及び第２傾斜面を互いに対向させて内側に略Ｖ字状を呈して一方向に延在する溝状接点部を有し、第２の導電性接点部材は、線材で形成され、前記一方向に沿いながら溝状接点部に向かってＵ字状又はＶ字状に突出する突出接点部を有しているので、突出接点部を溝状接点部内に挿入した時に、突出接点部が溝状接点部内の第１傾斜面と第２傾斜面との双方に接触するために、溝状接点部と突出接点部とが確実に電気的に接続されると共に、接点構造の構造形態が簡単である。
【００１５】
また、請求項２記載の本発明に係る接点構造によると、溝状接点部と突出接点部との少なくとも一方が、接触における押圧力を増加させる方向に付勢されているので、溝状接点部と突出接点部とがより確実に接触し、両者の電気的な接続がより良好となる。
【発明を実施するための最良の形態】
【００１６】
以下に本発明に係る接点構造の一実施例について図１，図２を参照して詳細に説明する。
【実施例】
【００１７】
図１は本発明の実施例に係る接点構造を説明するために示した斜視図、
図２は本発明の実施例に係る接点構造の作用を説明するために、図１に示したＡ―Ａ’線に沿って断面して示した縦断面図である。
【００１８】
図１に示した如く、本発明の実施例に係る接点構造１でも、先に従来技術で説明したように、例えば、充電台１０を用いて携帯用の電子機器２０に対して充電動作を行うために、充電台１０側に設けた第１の導電性接点部材１１と、電子機器２０側に設けた第２の導電性接点部材２１とを互いに接離自在に対向させて、第１，第２の導電性接点部材１１，２１に形成した各接点部１１ｃ，２１ｃ同士を接触させることで、電気的な接続が可能に構成されている。
【００１９】
尚、この実施例の接点構造１では、後述するように、板材を用いて形成した第１の導電性接点部材１１を充電台１０側に設け、且つ、線材を用いて形成した第２の導電性接点部材２１を電子機器２０側に設けた場合について説明するが、これに限ることなく、第１の導電性接点部材１１を電子機器２０側に、第２の導電性接点部材２１を充電台１０側に設けても良い。
【００２０】
尚また、本発明の実施例に係る接点構造１は、充電台１０及び電子機器２０のみに適用されるものでなく、第１，第２の導電性接点部材１１，２１が互いに接離自在に接触できる構造形態であればいかなる機器に適用しても良いものである。
【００２１】
まず、充電台１０側に設けられた第１の導電性接点部材１１は、導電性を有する板材を用いて形成されており、且つ、ここで用いられる板材は、燐青銅板，ステンレス板などが適用されている。
【００２２】
上記した第１の導電性接点部材１１は、一端部１１ａ側が板幅Ｗで平坦に形成されて第１の絶縁部材１２の上面１２ａに成膜した配線用パターン部１２ａ１に半田付けなどにより電気的に接続された上で固定されていると共に、この配線用パターン部１２ａ１に充電台１０側の配線ワイヤ１３も半田付けなどにより配線されている。そして、第１の絶縁部材１２の下面１２ｂが充電台１０内に取り付けられている。
【００２３】
また、第１の導電性接点部材１１は、一端部１１ａ側に続いて第１腕部１１ｂが一端部１１ａと同じ板幅ＷでＹ軸方向に沿って長尺に形成されており、この第１腕部１１ｂは矢印Ｂ方向に向かってバネ性を持たせているものの、後述する電子機器２０側に設けられた第２の導電性接点部材２１にバネ性を持たせれば第１腕部１１ｂ全体を第１の絶縁部材１２の上面１２ａ上に固定しても良い。
【００２４】
また、第１の導電性接点部材１１は、第１腕部１１ｂに続く他端部側に溝状接点部１１ｃが形成されており、この溝状接点部１１は断面が第１傾斜面１１ｃ１及び第２傾斜面１１ｃ２を互いに対向させて内側に略Ｖ字状を呈して一方向となるＸ軸方向に延在されている。
【００２５】
従って、第１の導電性接点部材１１に形成した溝状接点部１１ｃは、一端部１１ａ及び第１腕部１１ｂと同じ板幅Ｗで形成された第１傾斜面１１ｃ１及び第２傾斜面１１ｃ２により略Ｖ字状を呈しているために、入口側が幅広く開口し、下方に向かって徐々に幅狭くなっており、且つ、この溝状接点部１１ｃは一端部１１ａ及び第１腕部１１ｂよりも図示下方に向かって突出形成されている。そして、第１の導電性接点部材１１に形成した溝状接点部１１ｃの内側は充電台１０内から外部に向かって露出している。
【００２６】
更に、第１の導電性接点部材１１は、溝状接点部１１ｃに続くＶ字状の他端挿入側に曲げ部１１ｄが一端部１１ａ及び第１腕部１１ｂと同じ高さで短く曲げ形成されて、後述する第２の導電性接点部材２１に突出形成した突出接点部２１ｃが挿入し易いようになっている。
【００２７】
次に、電子機器２０に設けられた第２の導電性接点部材２１は、導電性を有する線材を用いて形成されており、且つ、ここで用いられる線材は、燐青銅線，ステンレス線などによりバネ性を備えて断面が円形状又は矩形状もしくは多角形状に予め形成されているが、この実施例では線材の断面が円形状の場合を図示している。
【００２８】
上記した第２の導電性接点部材２１は、一端部２１ａがコイルバネ状に巻回されて第２の絶縁部材２２の上面２２ａ上に搭載され、且つ、コイルバネ状の端が第２の絶縁部材２２の上面２２ａに成膜した配線用パターン部２２ａ１に半田付けなどにより電気的に接続された上で固定されていると共に、この配線用パターン部２２ａ１に電子機器２０側の配線ワイヤ２３も半田付けなどにより配線されている。そして、第２の絶縁部材２２の下面２２ｂが電子機器２０内に取り付けられている。
【００２９】
また、第２の導電性接点部材２１は、一端部２１ａに続いて第２腕部２１ｂが第２の絶縁部材２２の上面２２ａ上でＹ軸方向と直交するＸ軸方向に沿って長尺に形成されており、この第２腕部２１ｂは矢印Ｃ方向に向かってバネ性を持たせているので、第２腕部２１ｂが第２の絶縁部材２２の上面２２ａに対して接離自在になっている。
【００３０】
また、第２の導電性接点部材２１は、第２腕部２１ｂに続く他端部側に突出接点部２１ｃが第1の導電性接点部材１１に形成した溝状接点部１１ｃの一方向（Ｘ軸方向）に沿いながらこの溝状接点部１１ｃに向かってＶ字状又はＵ字状に曲げ形成されている。
【００３１】
また、第２の導電性接点部材２１に形成した突出接点部２１ｃは、第２の絶縁部材２２に略矩形状に形成した切欠部（又は逃げ孔）２２ｃ内に進入して下方の第２の導電性接点部材２１側に向かって突出していると共に、少なくとも先端部が電子機器２０内から外部に向かって露出している。
【００３２】
そして、突出接点部２１ｃは、第２の絶縁部材２２に略矩形状の切欠部（又は逃げ孔）２２ｃが形成されているので、第２腕部２１ｂを介してＸ軸方向と直交するＹ軸方向に切欠部（又は逃げ孔）２２ｃの範囲内で位置規制されることなく変位可能となっている。
【００３３】
更に、第２の導電性接点部材２１は、突出接点部２１ｃに続くＶ字状又はＵ字状の他端根元側にストッパ部２１ｄが第２腕部２１ｂと同じ高さで短く曲げ形成されており、このストッパ部２１ｄは不使用時(初期時)に矢印Ｃ方向の付勢力によって第２の絶縁部材２２の上面２２ａ上に当接することで、突出接点部２１ｃが矢印Ｃ方向に移動できないように規制されているものの、突出接点部２１ｃが第1の導電性接点部材１１に形成した溝状接点部１１ｃ内で接触した時に矢印Ｃ方向の付勢力に抗して第２の絶縁部材２２の上面２２ａから離間するようになっている。
【００３４】
尚、この実施例では、第１の導電性接点部材１１に形成した溝状接点部１１ｃと、第２の導電性接点部材２１に形成した突出接点部２１ｃとを第１，第２腕部１１ｂ，２１ｂを介してバネ性       を持たせているが、これに限ることなく、溝状接点部１１ｃと突出接点部２１ｃとの少なくとも一方が、両者１１ｃ，２１ｃの接触における押圧力を増加させる方向に付勢されていれば良いものである。
【００３５】
ここで、第２の導電性接点部材２１に形成した突出接点部２１ｃを、矢印Ｄ方向から第1の導電性接点部材１１に形成した溝状接点部１１ｃ内に挿入する時に、突出接点部２１ｃは溝状接点部１１ｃ内でＸ軸方向と略平行に挿入されると共に、Ｘ軸方向に対して位置決めされることなく板幅Ｗ内で余裕持って挿入可能になっている。
【００３６】
更に、図２に拡大して示した如く、第２の導電性接点部材２１に形成した突出接点部２１ｃを、第1の導電性接点部材１１に形成した溝状接点部１１ｃ内に挿入した時に、上記したように、突出接点部２１ｃは溝状接点部１１ｃ内でＸ軸方向と略平行に挿入され、且つ、Ｘ軸方向と直交するＹ軸方向に変位可能であるので、この突出接点部２１ｃのうちでＶ字状又はＵ字状に形成された頂点側の断面外周部２１ｃ１が矢印Ｃ方向の付勢力に抗しながら溝状接点部１１ｃのＶ字状内部で互いに対向した第１，第２傾斜面１１ｃ１，１１ｃ２の少なくとも一方に当接しながらＶ字状の内部奥方に移動し、最終的に、頂点側の断面外周部２１ｃ１は、第１，第２傾斜面１１ｃ１，１１ｃ２上でそれぞれ双方の接点Ｐ１，Ｐ２の２箇所に接触することになる。
【００３７】
尚、図２中では、頂点側の断面外周部２１ｃ１を円形状に図示しているが、頂点側の断面外周部２１ｃ１が矩形状、多角形状でも２箇所に接触できることは明らかである。
【００３８】
上記により、本発明の実施例に係る接点構造１によれば、導電性を有する板材を用いて溝状接点部１１ｃがＶ字溝状に開口して形成された第１の導電性接点部材１１と、導電性を有する線材を用いて突出接点部２１ｃが溝状接点部１１ｃの一方向（Ｘ軸方向）に沿いながら溝状接点部１１ｃに向かってＶ字状又はＵ字状に曲げ形成された第２の導電性接点部材２１と有し、突出接点部２１ｃを溝状接点部１１ｃ内に挿入した時に、突出接点部２１ｃのうちでＶ字状又はＵ字状に形成された頂点側の断面外周部２１ｃ１が溝状接点部１１ｃ内で第１傾斜面１１ｃ１と第２傾斜面１１ｃ２との双方に接触しているので、第１，第２の導電性接点部材１１，２１に形成した各接点部１１ｃ，２１ｃ同士が確実に電気的に接続されると共に、接点構造１の構造形態が簡単である。
【００３９】
また、第１の導電性接点部材１１に形成した溝状接点部１１ｃと、第２の導電性接点部材２１に形成した突出接点部２１ｃとの少なくとも一方が、接触における押圧力を増加させる方向に付勢されているので、溝状接点部１１ｃと突出接点部２１ｃとがより確実に接触し、両者１１ｃ，２１ｃの電気的な接続がより良好となる。
【図面の簡単な説明】
【００４０】
【図１】本発明の実施例に係る接点構造を説明するために示した斜視図である。
【図２】本発明の実施例に係る接点構造の作用を説明するために、図１に示したＡ―Ａ’線に沿って断面して示した縦断面図である。
【図３】従来の端子構造を説明するために一部破断して示した斜視図である。
【図４】図３に示した雌型端子を拡大して示した斜視図である。
【図５】従来の端子構造の作用を説明するための断面図である。
【符号の説明】
【００４１】
１…接点構造、
１０…充電台、
１１…第１の導電性接点部材、１１ａ…一端部、１１ｂ…第１腕部、
１１ｃ…溝状接点部、１１ｃ１，１１ｃ２…第１，第２傾斜面、１１ｄ…曲げ部、
１２…第１の絶縁部材、１２ａ…上面、１２ａ１…配線用パターン部、１２ｂ…下面、
１３…配線ワイヤ、
２０…電子機器、
２１…第２の導電性接点部材、２１ａ…一端部、２１ｂ…第２腕部、
２１ｃ…突出接点部、２１ｃ１…Ｖ字状又はＵ字状に形成された頂点側の断面外周部、
２１ｄ…ストッパ部、
２２…第２の絶縁部材、２２ａ…上面、２２ａ１…配線用パターン部、２２ｂ…下面、
２３…配線ワイヤ、
Ｐ１，Ｐ２…接点。
【図１】
2007258100.tif 000003
【図２】
2007258100.tif 000004
【図３】
2007258100.tif 000005
【図４】
2007258100.tif 000006
【図５】
2007258100.tif 000007